(57)【要約】【課題】光ディスクをその標準再生速度より大きな速度で再生されたデータを再生不良に起因する不良データを除いて、書込可能な光ディスクに記録する光ディスク高速再生記録装置を提供することを目的とする。【解決手段】光ディスク高速再生記録装置において、第１の読出データ品質判定部（２００、Ｓｊｒ；３００、Ｓ１８）は読み出された第２の単位のデジタルデータ（Ｓａｄ、Ｓｓｂ）の品質を判定し、第１の再読出部（３００；Ｓ２４〜Ｓ３６）は第２の単位のデジタルデータ（Ｓａｄ、Ｓｓｂ）の品質が不良であると判定される場合には第２の再生速度（Ｎ）より第１の所定速度（Ｖｐ）だけ小さな第３の再生速度（Ｋ）で第１の単位のデジタルデータ（トラック、セクター、データブロック）を第２の単位で再度読み出す。【選択図】　　　　図１
2004039048.tif 000002
【特許請求の範囲】
【請求項１】
デジタルデータが第１の単位で記録されている第１の光ディスクを標準再生速度である第１の再生速度より大きな第２の再生速度で当該第１の単位以下の第２の単位で読み出して、当該読み出された第２の単位のデジタルデータを書込可能な第２の光ディスクに書き込んで、前記第１の単位のデジタルデータを当該第２の光ディスクに記録する光ディスク高速再生記録装置であって、
前記読み出された第２の単位のデジタルデータの品質を判定する第１の読出データ品質判定手段と、
前記第２の単位のデジタルデータの品質が不良であると判定される場合には、前記第２の再生速度より第１の所定速度だけ小さな第３の再生速度で前記第１の単位のデジタルデータを第２の単位で再度読み出す第１の再読出手段とを備える光ディスク高速再生記録装置。
【請求項２】
さらに、前記再度読み出された第２の単位のデジタルデータの品質を判定する第２の読出データ頻出判定手段と、
前記再度読み出された第２の単位のデジタルデータの品質が不良であると判定される場合には、前記第３の再生速度より第２の所定速度だけ小さな第４の再生速度で前記第１の単位のデジタルデータを第２の単位で再度読み出す第２の再読出手段とを備える、請求項１に記載の光ディスク高速再生記録装置。
【請求項３】
前記第１の所定速度と第２の所定速度は同一であることを特徴とする請求項１に記載の光ディスク高速再生記録装置。
【請求項４】
前記第１の所定速度は、前記第３の再生速度が前記第１の再生速度より小さくならないように決められる任意の値であることを特徴とする請求項１乃至２の何れかに記載の光ディスク高速再生記録装置。
【請求項５】
前記第２の所定速度は、前記第４の再生速度が前記第１の再生速度より小さくならないように決められる任意の値であることを特徴とする請求項１乃至３の何れかに記載の光ディスク高速再生記録装置。
【請求項６】
前記第２の単位とは、トラック、セクター、およびデータブロックの何れかであることを特徴とする請求項１乃至５の何れかに記載の光ディスク高速再生記録装置。
【請求項７】
前記第１の単位のデジタルデータが前記第２の光ディスクに書き込まれた時点で、当該第１のデジタルデータの管理情報が当該第２の光ディスクの記録データ管理情報格納領域に書き込まれることを特徴とする請求項１乃至６の何れかに記載の光ディスク高速再生記録装置。
【請求項８】
前記第２の光ディスクとは、ＭＤ（Ｒ）であり、前記記録データ管理情報格納領域とはＵＴＯＣ領域であり、管理情報とはＵＴＯＣ情報であることを特徴とする請求項７に記載の光ディスク高速再生記録装置。
【請求項９】
前記第１の光ディスクとは、ＣＤ（Ｒ）であることを特徴とする請求項１乃至８に記載の光ディスク高速再生記録装置。
【発明の詳細な説明】
【０００１】
【発明の属する技術分野】
本発明は、光ディスクをその標準再生速度より大きな速度で再生して記録されているデータを読み出し、書込／書換可能な光ディスクに記録する光ディスク高速再生記録装置に関する。
【０００２】
【従来の技術】
近年、ＣＤやＤＶＤに代表される複数種類の光ディスクに記録されたデータを本来の再生速度より大きな速度で再生すると同時に、別の書込／書換可能な光ディスクに記録する光ディスク高速再生記録装置が開発されている。
このような光ディスク高速再生記録装置の代表的なものとして、記録元の光ディスクとしてＣＤを用い、書込／書換可能光ディスクとしてＭＤを用いたものを例として、その動作について簡単に説明する。音楽用或いは非音楽用データが記録されているＣＤが標準再生速度より高速で回転され、トラックより小さな単位で記録データが読み出されて、所定の記録単位（例えば、読出単位／トラックより小さなデータブロック毎またはＣＤ毎）に、ＭＤに書き込まれる。
【０００３】
なお、この書込データに関する管理情報がＭＤのＵＴＯＣ（Ｕｓｅｒ　Ｔａｂｌｅ　ｏｆ　Ｃｏｎｔｅｎｔ）領域に書き込まれて、ＣＤから再生されたデータのＭＤへの記録が完了する。このＵＴＯＣ領域に書き込まれる管理情報をＵＴＯＣ情報と呼ぶ。なお、ＵＴＯＣ領域およびＵＴＯＣ情報は、データの書込に応じて、ユーザによって書込／書換えることができる。一方、ＣＤのような読み出し専用の光ディスクに設けられるＴＯＣ（Ｔａｂｌｅ　ｏｆ　Ｃｏｎｔｅｎｔ）領域およびＴＯＣ情報は、ユーザが任意に書込或いは書換えできないことはよく知られていることである。
【０００４】
光ディスク高速再生記録装置においては、記録元の光ディスク（ＣＤ）をその正規の再生速度の数倍の高速で回転させてデータを読み出すので、通常再生時では問題にならない程度のＣＤの傷や変形、装着精度、回路のノイズ等のデータ再生阻害要因や、それらの要因の組み合わせによって、ＣＤから記録データを正しく読み出せないことがあり、その結果、ＭＤに正しく記録できないことがある。このような場合は、いくらユーザが高速再生記録を望んでも、書込／書換可能光ディスクに記録するためには、ＣＤからデータを正しく読み出せるまで、再生速度を落としてやる必要がある。
【０００５】
つまり、読出阻害要因の内で、ＣＤの傷や変形という媒体の物理的欠陥自体は、再生速度そのものには影響を受けない。しかし、ＣＤの回転速度、つまり再生速度が小さいほど、光ピックアップによる光読み出しに関する阻害度合いも小さくなることにより、データの読み出しが改善される。また、ＣＤのＣＤドライブに対する装着精度という位置精度自体も、再生速度そのものの影響は受けない。しかし、ＣＤの回転速度が小さくなれば、位置精度誤差が原因の、光ピックアップとピットとの位置関係の変化の度合いが小さくなり、光読み出しが改善される。さらに、回路のノイズ等の電気的阻害要因自体も、基本的には、ＣＤの回転速度の影響を受けないが、電気処理としての再生速度の影響を受ける。つまり、再生速度が小さくなれば、ノイズの影響も小さくなり、データの再生が改善される。
【０００６】
上述の異なるデータ生成阻害要因のそれぞれにおいても、高速再生時に記録データが正常に再生できないことが、ＭＤに正常に記録できないことの直接の原因である。そのために、光ディスク高速再生記録装置においては、データ再生障害の真因の別に関わらず、ＣＤの回転速度、つまり再生速度を落として、記録データの正常再生の回復をまって、ＭＤに記録するように構じられている。
【０００７】
上述の記録元の光ディスクの一例として説明されているＣＤは、ＣＬＶ（Ｃｏｎｓｔａｎｔ　Ｌｉｎｅａｒ　Ｖｅｌｏｃｉｔｙ）制御と言われる線速度が一定になるように回転制御される。つまり、読み出し位置が内周側ほど外周側に比べて高速で回転される。また、ＣＤ以外の光ディスクの種類によって、ＣＡＶ（Ｃｏｎｓｔａｎｔ　Ａｎｇｕｌａｒ　Ｖｅｌｏｃｉｔｙ）、ＺＣＡＶ（Ｚｏｎｅ　Ｃｏｎｓｔａｎｔ　Ａｎｇｕｌａｒ　Ｖｅｌｏｃｉｔｙ）、やＺＣＬＶ（Ｚｏｎｅ　Ｃｏｎｓｔａｎｔ　Ｌｉｎｅａｒ　Ｖｅｌｏｃｉｔｙ）の回転制御方法がある。よって、再生速度が光ディスクの回転速度と固定的な関係ではなく、光ディスクの読出／再生位置によっては、同一の再生速度であっても光ディスクは異なる速度で回転される。しかし、何れの制御方法においても、光ディスク高速再生記録装置において、読み出しができない場合には、再生速度（回転速度）を落として記録データの読み出しの改善をまつと言う点においては同じである。
【０００８】
【発明が解決しようとする課題】
上述のように、光ディスク高速再生記録装置においては、同じ再生速度であっても、読出／再生位置によって、光ディスクの回転速度は異なるので、上記の３つの再生阻害要因の寄与率も読出／再生位置によって変化する。つまり、光ディスクの半径方向に、均一な大きさの再生阻害要因が存在する場合に、一定の再生速度で高速再生記録をしようとした場合に、外周側（内周側）では無事に再生できていたものが内周側（外周側）では再生できなくなったりする。さらに、実際には、再生阻害要因の大きさは一定でなく、また存在場所も様々であるので、高速再生記録時には、突然に再生できなくなったり、或いは、突然再生できるようになったりする。
しかしながら、上例の光ディスク高速再生記録装置においては、ＣＤから記録データを読み出して再生する毎に、順次ＭＤに実際に記録し、トラック単位或いはＣＤ単位でＵＴＯＣ情報を書き込んで、ＭＤへの記録を確定する。そのために、ＭＤにデータを記録の途中に、再生不良が発生した場合は、ＵＴＯＣ情報の書込タイミングによっては、少なくともトラック単位或いはＣＤ単位で不良データがＭＤに記録される。このようなＭＤでは、記録された不良データの種類或いはその場所によっては、ＣＤから読み出されてＭＤに記録されたデータがトラック単位或いはＣＤ単位でＭＤから読み出せないという不都合を生じる。
【０００９】
よって、本発明は、光ディスクをその標準再生速度より大きな速度で記録されているデータを読出・再生し、再生されたデータを再生不良に起因する不良データを除いて、書込／書換可能な光ディスクに記録する光ディスク高速再生記録装置を提供することを目的とする。
【００１０】
【課題を解決するための手段および発明の効果】
第１の発明は、デジタルデータが第１の単位で記録されている第１の光ディスクを標準再生速度である第１の再生速度より大きな第２の再生速度で第１の単位以下の第２の単位で読み出して、読み出された第２の単位のデジタルデータを書込可能な第２の光ディスクに書込んで、第１の単位のデジタルデータを第２の光ディスクに記録する光ディスク高速再生記録装置であって、
読み出された第２の単位のデジタルデータの品質を判定する第１の読出データ品質判定部と、
第２の単位のデジタルデータの品質が不良であると判定される場合には、第２の再生速度より第１の所定速度だけ小さな第３の再生速度で第１の単位のデジタルデータを第２の単位で再度読み出す第１の再読出部とを備える光ディスク高速再生記録装置。
【００１１】
上述のように、第１の発明においては、不良な再生データが生じた場合には、再生速度を減じて再度再生することで、高速再生に起因する不良再生データの発生を解消できる。
【００１２】
第２の発明は、第１の発明において、さらに、再度読み出された第２の単位のデジタルデータの品質を判定する第２の読出データ頻出判定部と、
再度読み出された第２の単位のデジタルデータの品質が不良であると判定される場合には、第３の再生速度より第２の所定速度だけ小さな第４の再生速度で第１の単位のデジタルデータを第２の単位で再度読み出す第２の再読出部とを備える。
【００１３】
上述のように、第２の発明においては、不良な再生データが生じた場合には、さらに再生速度を減じて再生することで、高速再生に起因する不良再生データの発生をより効果的に解消できる。
【００１４】
第３の発明は、第１の発明において、第１の所定速度と第２の所定速度は同一であることを特徴とする。
【００１５】
第４の発明は、第１乃至第２の発明の何れかにおいて、第１の所定速度は、第３の再生速度が第１の再生速度より小さくならないように決められる任意の値であることを特徴とする。
【００１６】
第５の発明は、第１乃至第３の発明の何れかにおいて、第２の所定速度は、第４の再生速度が第１の再生速度より小さくならないように決められる任意の値であることを特徴とする。
【００１７】
第６の発明は、第１乃至第５の発明の何れかにおいて、第２の単位とは、トラック、セクター、およびデータブロックの何れかであることを特徴とする。
【００１８】
第７の発明は、第１乃至第６の発明の何れかにおいて、第１の単位のデジタルデータが第２の光ディスクに書き込まれた時点で、第１のデジタルデータの管理情報が第２の光ディスクの記録データ管理情報格納領域に書き込まれることを特徴とする。
【００１９】
第８の発明は、第１乃至第７の発明の何れかにおいて、第２の光ディスクとは、ＭＤ（Ｒ）であり、記録データ管理情報格納領域とはＵＴＯＣ領域であり、管理情報とはＵＴＯＣ情報であることを特徴とする。
【００２０】
第９の発明は、第１乃至第８の発明の何れかにおいて、第１の光ディスクとは、ＣＤ（Ｒ）であることを特徴とする。
【００２１】
【発明の実施の形態】
以下に、図１および図２を参照して、本発明の実施の形態にかかる光ディスク高速再生装置について説明する。図１に示すように、光ディスク高速再生記録装置ＨＳＣは、大別して、コンビネーションドライブ１３０、読出データ検出器２００、ＭＤドライブ２３０、オペレーションコントローラ３００、表示部４００を含む。なお、光ディスク高速再生記録装置ＨＳＣには、コンビネーションドライブ１３０およびＭＤドライブ２００から読み出された信号に種々な処理を施して、音声信号、映像、或いはコンピュータデータを生成してスピーカやモニター或いは他の記録装置に出力する読出信号処理部も含まれるが、本発明の特徴ではないので、図示および説明を省く。
【００２２】
表示部４００は、好ましくは、蛍光表示管等などの発光手段で構成されて、光ディスク高速再生記録装置ＨＳＣの動作モードなどの情報を光学的にユーザに提示する。オペレーションコントローラ３００は、コンビネーションドライブ１３０、ＭＤドライブ２００、上述の読出信号処理部（図示せず）、および表示部４００に接続されて、光ディスク高速再生記録装置ＨＳＣ全体の動作を制御する。
【００２３】
コンビネーションドライブ１３０は、少なくとも１つの光ディスクドライブ１３２、ドライブシステムコントローラ１３４、再生速度切替器１３６、および光ディスク制御器（図１では、「ＯＤＣ」と表示）１３８を含む。光ディスクドライブ１３２は、異なる光ディスクメディアを装着して、同光メディアから記録データを読み出して光ディスク制御器１３８に出力する。なお、光ディスクドライブ１３２は、装着する光ディスクの種類を検出する手段を備え、検出された光ディスクの種類毎に、異なる光ディスクドライブとして認識される。よって、本明細書においては、説明の便宜上、それぞれを異なるドライブとして説明する。つまり、光ディスクドライブ１３２は、ＣＤドライブ１３２＿１、ＤＶＤドライブ１３２＿２、ＶＣＤドライブ１３２＿３、およびＭＰ３ドライブ１３２＿４等に代表される光ディスクの再生装置を含む。
【００２４】
ＣＤドライブ１３２＿１は、装着されるＣＤから音楽データ或いはコンピュータプログラム等のデジタルデータを読み出してＣＤデータＳｃｄとして出力する。ＤＶＤドライブ１３２＿２は、ＤＶＤからＭＰＥＧデータＳｄｖを再生して出力する。ＶＣＤドライブ１３２＿３はビデオＣＤから音声信号を再生して、ビデオＣＤ音声信号Ｓｖｄとして出力する。ＭＰ３ドライブ１３２＿４は、光ディスクに記録されたＭＰ３ファイルから音声データを再生して、ＭＰ３音声信号Ｓｍｐとして出力する。ドライブシステムコントローラ１３４は、光ディスクドライブ１３２に接続されて、コンビネーションドライブ制御信号ＳＣｃを相互に交換すると共に光ディスクドライブ１３２の動作を制御し、さらに光ディスクドライブ１３２に装着されている光ディスクの種類を検出する。
【００２５】
ＭＤドライブ２３０は、ＭＤシステムコントローラ２３０＿１と書込読出器２３０＿３を含む。ＭＤドライブ２３０には、さらに、ＭＤを回転させる駆動手段およびその関連の部材も含まれるが、それらは本発明の特徴とするものではないので説明を省く。ＭＤドライブ２３０は、読出データ検出器２００を介してコンビネーションドライブ１３０から入力されるＣＤから読み出し再生されたＣＤデータＳｃｄをＭＤに書込或いはＭＤに書かれているデータを読み出す。ＭＤシステムコントローラ２３０＿１は、オペレーションコントローラ３００から入力されるＭＤドライブ状態信号ＳＭｍおよびコンビネーションドライブ状態信号ＳＭｃに基づいて、書込読出器２３０＿３の書換可能光ディスク２３０＿５に対する書込／読出を制御する。
【００２６】
オペレーションコントローラ３００は、好ましくは、受光器３２０、およびリモコン３３０を含む。ユーザは、リモコン３３０を操作して、光ディスク高速再生記録装置ＨＳＣに対する指示を与えることができる。つまり、ユーザの操作に応じて、リモコン３３０はリモコン信号ＳＲを照射する。受光器３２０は、リモコン３３０から照射されたリモコン信号ＳＲを受けて、ユーザの操作意志を反映したユーザ指示信号ＳＵをオペレーションコントローラ３００に出力する。
【００２７】
オペレーションコントローラ３００は、受光器３２０から入力されるユーザ指示信号ＳＵに基づいて、コンビネーションドライブ１３０の動作を制御信号するためのコンビネーションドライブ制御信号ＳＯｃを生成して、ドライブシステムコントローラ１３４に出力する。ドライブシステムコントローラ１３４は、コンビネーションドライブ制御信号ＳＯｃに基づいて、コンビネーションドライブ制御信号ＳＣｃを生成して、光ディスクドライブ１３２を制御する。一方、ドライブシステムコントローラ１３４は、光ディスクドライブ１３２に装着されている光ディスクの種別を表すメディア識別情報やコンビネーションドライブ１３０の動作状態情報を含むコンビネーションドライブ状態信号ＳＭｃを生成してオペレーションコントローラ３００に出力する。
【００２８】
オペレーションコントローラ３００は、ユーザ指示信号ＳＵ、コンビネーションドライブ状態信号ＳＭｃ、読出／再生状態信号Ｓｊｒ、およびＭＤドライブ状態信号ＳＭｍに基づいて、ＭＤドライブ２３０の動作を制御するＭＤ制御信号ＳＣｍを生成して、ＭＤドライブ２３０に出力する。
【００２９】
本実施の形態においても、光ディスク高速再生記録装置ＨＳＣは好ましくは、記録元の光ディスクとしてＣＤを用い、書込／書換可能光ディスクとしてＭＤを用いる。よって、ドライブシステムコントローラ１３４は、オペレーションコントローラ３００から入力されるコンビネーションドライブ制御信号ＳＣｃに指示される再生速度に対応する回転速度を表す回転速度指示信号Ｓｒｎを生成して、再生速度切替器１３６に出力する。なお、ドライブシステムコントローラ１３４は、対象とする光ディスクの回転制御方法の種類（ＺＣＡＶ、ＺＣＬＶ、やＣＡＶ）に応じて、ユーザが指定する再生速度で回転させるように回転速度指示信号Ｓｒｎを生成する。
【００３０】
再生速度切替器１３６は、回転速度指示信号Ｓｒｎに基づいて、ＣＤドライブ１３２＿１を、ユーザが指定する再生速度に対応した速度で回転させる。つまり、ＣＤの場合はＣＬＶ制御のために、データの読出速度である読出位置における線速度がユーザーの指定再生速度になるように、半径方向上の位置に関して回転速度は変化させられる。再生速度切替器１３６は、ＣＤからデータを読み出している速度を表す読出速度信号Ｓｒｓを生成して、光ディスク制御器１３８に出力する。
【００３１】
光ディスク制御器１３８は、読出速度信号Ｓｒｓに基づいて、ＣＤドライブ１３２＿１から入力されるＣＤデータＳｃｄから、オーディオデータ（或いはコンピュータコンテンツデータ）ＳａｄとサブコードＳｓｂを取り出して読出データ検出器２００に出力する。なお、光ディスク制御器１３８からは記録元の光ディスクの種類によって、それぞれ出力されるデータは異なるが、基本的にはＣＤの場合のオーディオデータＳａｄに相当するコンテンツデータと、サブコードＳｓｂに相当する管理データが出力される。この意味において、ＣＤデータＳｃｄから取り出されるオーディオデータＳａｄおよびサブコードＳｓｂを、必要に応じてそれぞれ、コンテンツデータＳａｄおよびコンテンツ管理データＳｓｂと呼称する。
【００３２】
読出データ検出器２００は、コンテンツ管理データＳｓｂとコンテンツ管理データＳｓｂに基づいて、ＣＤからのデータの読出／再生が正常であるか否かを表す、再生状態信号Ｓｊｒを生成して、オペレーションコントローラ３００に出力する。
【００３３】
オペレーションコントローラ３００は、さらに、ユーザ指示信号ＳＵに基づいて、ＣＤドライブ１３２＿１に装着されたＣＤを正規の再生速度のＮ倍（Ｎは任意の正の整数）で再生して、再生されたデータをＭＤに記録させる。また、オペレーションコントローラ３００は、上述のユーザ指示信号ＳＵ、コンビネーションドライブ状態信号ＳＭｃ、およびＭＤドライブ状態信号ＳＭｍに基づいて、光ディスク高速再生記録装置ＨＳＣの運転状態を表す運転状態表示信号ＳＯｄを生成して表示部４００に出力する。表示部４００は、運転状態表示信号ＳＯｄに基づいて、光ディスク高速再生記録装置ＨＳＣの運転状態を光学的表示を用いてユーザに提示する。
【００３４】
次に、図２に示すフローチャートを参照して、光ディスク高速再生記録装置ＨＳＣによる光ディスク高速再生記録動作についてのみ説明する。光ディスク高速再生記録装置ＨＳＣに電源が投入されてその動作が開始されると、先ず、
ステップＳ２において、ユーザ指示信号ＳＵに基づいて、オペレーションコントローラ３００において光ディスクの高速再生記録（Ｎ倍再生記録）の指示がされているか否かが判断される。Ｎｏの場合は、本ステップの処理を繰り返して、Ｙｅｓと判断された時点で、制御は次のステップＳ４に進む。
【００３５】
ステップＳ４において、ユーザ指示信号ＳＵに基づいて、オペレーションコントローラ３００は、記録元の光ディスクおよび記録先光ディスクを決定する。上述のように、コンビネーションドライブ１３０およびＭＤドライブ２３０には、それぞれ、記録元光ディスク（ＣＤ）およびＭＤ（記録先光ディスク）の装着の有無が自動的に検出される。よって、記録元光ディスク（ＣＤ）或いは記録先光ディスク（ＭＤ）が装着されていない場合には、ユーザは高速再生記録を選択できないので、本ステップにおいては、必ず記録元光ディスクおよび記録先光ディスクが決定される。なお、本例においては、ＣＤおよびＭＤがそれぞれ、記録元光ディスクおよび記録先光ディスクとして決定されると共に認識される。そして、制御は次のステップＳ６に進む。
【００３６】
ステップＳ６において、オペレーションコントローラ３００は、ユーザ指示信号ＳＵに基づいて、記録元光ディスクの正規の再生速度の何倍の速度で再生するかを規定する高速再生倍数Ｎを検出する。つまり、本例においては、ＣＤを正規再生速度の何倍で再生して、ＭＤに記録するかが決定される。なお、本ステップで決定された高速再生倍数Ｎは、コンビネーションドライブ制御信号ＳＯｃとしてドライブシステムコントローラ１３４に出力される。そして、制御は次のステップＳ８に進む。
【００３７】
ステップＳ８において、ドライブシステムコントローラ１３４は、高速再生倍数Ｎに基づいて、記録元光ディスクの回転数を決定して回転速度指示信号Ｓｒｎを生成して、速度切替器１３６に出力する。なお、回転速度指示信号Ｓｒｎが規定する回転数（角速度）は、光ディスクの種類およびその回転制御方法によって、同一の再生速度であっても回転数は一定とは限らないことは上述の通りである。そして、制御は次のステップＳ１０に進む。よって、Ｎ倍の再生速度とはＮ倍の角速度の場合もあれば、そうでない場合もあることは言うまでもない。
【００３８】
ステップＳ１０において、再生速度切替器１３６は、回転速度指示信号Ｓｒｎに基づいて、光ディスクドライブ１３２（ＣＤドライブ１３２＿１）に装着されている記録元の光ディスク（ＣＤ）を正規再生時のＮ倍の速さで回転させる。そして、制御は次のステップＳ１２に進む。
【００３９】
ステップＳ１２において、再生速度切替器１３６は、正規再生時のＮ倍の再生速度で回転されている光ディスク（ＣＤ）の読出位置における読出速度を検出して読出速度信号Ｓｒｓを生成して、光ディスク制御器１３８に出力する。つまり、読出速度信号Ｓｒｓは、光ディスクからデータが読み出されて、光ディスク制御器１３８に入力される速さに対応している。そして、制御は次のステップＳ１４に進む。
【００４０】
ステップＳ１４において、光ディスク制御器１３８は、読出速度信号Ｓｒｓに基づいて、光ディスクドライブ１３２（ＣＤドライブ１３２＿１）で、光ディスク（ＣＤ）から正規再生時のＮ倍の再生速度で読み出されてくるデータ（ＣＤデータＳｃｄを正常再生時のＮ倍の速さで再生して、コンテンツデータ（オーディオデータ）Ｓａｄと管理データ（サブコード）Ｓｓｂを取り出して、読出データ検出器２００に出力する。そして、制御は次のステップＳ１６に進む。
【００４１】
ステップＳ１６において、読出データ検出器２００は、コンテンツデータ（オーディオデータ）Ｓａｄと管理データ（サブコード）Ｓｓｂに基づいて、再生状態を示す再生状態信号Ｓｊｒを生成して、オペレーションコントローラ３００に出力する。そして、制御は次のステップＳ１８に進む。
【００４２】
ステップＳ１８において、オペレーションコントローラ３００は、再生状態信号Ｓｊｒに基づいて、記録元の光ディスク（ＣＤ）から記録データが正常に再生されているか否かが判断される。なお、本例においては、この判断は所定時間内に所定量の再生データが入力されることをもって正常再生と判断し、そうでないアンダーライン状態をもって再生不良と判断する。正常再生の場合は、Ｙｅｓと判断されて、制御はステップＳ１９に進む。
【００４３】
ステップＳ１９において、ＭＤドライブ２３０＿１が、書換可能光ディスク２３０＿５に入力されてきたコンテンツデータＳａｄを書き込めるだけの容量があるか否かを判断する。容量が十分にある場合は、Ｙｅｓと判断されて、制御はステップＳ２０に進む。
【００４４】
ステップＳ２０において、読出データ検出器２００を介して、ＭＤドライブ２３０に入力されたコンテンツデータＳａｄは、書込読出器２３０＿３によって、書込／書換可能光ディスク（ＭＤ）２３０＿５に、所定の記録単位で書き込む。なお、記録単位は、本発明においては、セクター単位、トラック単位、記録元或いは記録先の光ディスク単位であってもよいが、本実施の形態においてはセクターよりも小さな単位が好ましい。よって、記録元の光ディスク（ＣＤ）から逐次読み出されたコンテンツデータＳａｄは、セクターより小さな記録単位で、書込／書換可能光ディスク２３０＿５に書き込まれる。そして、制御は次のステップＳ２２に進む。
【００４５】
ステップＳ２２において、ステップＳ２０における、コンテンツデータＳａｄの書込／書換可能光ディスク２３０＿５（ＭＤ）への書込に関するＵＴＯＣ情報がＭＤシステムコントローラ２３０＿１によって生成されて、書換可能光ディスク２３０＿５（ＭＤ）のＵＴＯＣ領域に書き込まれる。そして、制御は、次のステップＳ２３に進む。
【００４６】
ステップＳ２３において、オペレーションコントローラ３００によって、記録元光ディスクの再生が完了しているか否かが判断される。Ｙｅｓと判断される場合、光ディスク高速再生記録装置ＨＳＣの高速再生記録動作は終了する。
【００４７】
上述のステップＳ１８においてＮｏ、つまり記録元光ディスクからの高速再生が不良であると判断される場合、制御はステップＳ２４に進む。
【００４８】
ステップＳ２４において、オペレーションコントローラ３００は高速再生倍数Ｎから減速値Ｖｐを減じて、準高速再生倍数Ｋを求める。減速値Ｖｐは、光ディスク高速再生記録装置ＨＳＣにおいて生じている再生不良を、再生速度（回転速度）を少し減じてみて再生状態の回復をまつという観点から適宜決められる所定値である。なお、但し減速値Ｖｐは高速再生倍数Ｎ−１以下であることが好ましい。つまり、減速値ＶｐがＮ−１の場合、準高速再生倍数Ｋは１となり、記録元光ディスク（ＣＤ）を正規再生速度で再生して再生状態の回復を狙うものである。そして、制御は次のステップＳ２６に進む。
【００４９】
ステップＳ２６において、オペレーションコントローラ３００は、さらに、準高速再生倍数Ｋが１より大きいか否かを判断する。Ｙｅｓ、つまり準高速再生倍数Ｋが１倍速より大きい場合には、高速再生倍数Ｎの代わりに準高速再生倍数Ｋをコンビネーションドライブ制御信号ＳＯｃとしてドライブシステムコントローラ１３４に出力する。ステップＳ２４およびＳ２６による処理は、上述のステップＳ６における処理と類似している。但し、ステップＳ６においてはユーザの指示（ユーザ指示信号ＳＵ）通りに高速再生倍数Ｎが決定されるが、本ステップにおいて再生不良状態を改善するために、高速再生倍数Ｎを予め定めておいた減速値Ｖｐだけ減速して準高速再生倍数Ｋが求められる点が異なる。そして、制御は次のステップＳ２８に進む。
【００５０】
なお、ステップＳ２６でＮｏ、つまり準高速再生倍数Ｋが１倍速以下の場合、処理はステップＳ２７に進む。
【００５１】
ステップＳ２７において、準高速再生倍数Ｋが１に設定される。これは、１倍速以下にまで減速することを防止するものである。しかし、１倍速以下で再生することが望ましければ、ステップＳ２６でＫ＞０を判断し、本ステップＳ２７でＫ＝正の値と設定してもよい。そして制御は、上述のステップＳ２８に進む。
【００５２】
ステップＳ２８において、上述のステップＳ８におけるのと同様に、ドライブシステムコントローラ１３４は、高速再生倍数Ｎに基づいて、記録元光ディスクの回転数（ＲＰＭ）を決定して回転速度指示信号Ｓｒｎを生成して、速度切替器１３６に出力する。なお、説明の便宜上、本ステップで生成される回転速度指示信号Ｓｒｎを減速回転速度指示信号Ｓｒｋと呼んで識別する。そして、制御は次のステップＳ３０に進む。
【００５３】
ステップＳ３０において、上述のステップＳ１０におけるのと同様に、再生速度切替器１３６は、減速回転速度指示信号Ｓｒｋに基づいて、光ディスクドライブ１３２（ＣＤドライブ１３２＿１）に装着されている記録元の光ディスク（ＣＤ）を正規再生時のＫ倍の速さで回転させる。そして、制御は次のステップＳ３２に進む。
【００５４】
ステップＳ３２において、上述のステップＳ１２におけるのと同様に、再生速度切替器１３６は、正規再生時のＫ倍の速さで回転されている光ディスク（ＣＤ）の読出位置における読出速度を検出して減速読出速度信号Ｓｋｓを生成して、光ディスク制御器１３８に出力する。なお、減速読出速度信号Ｓｋｓは、基本的に読出速度信号Ｓｒｓと同じであるが、その値が読出速度信号Ｓｒｓより小さい。そして、制御は次のステップＳ３４に進む。
【００５５】
ステップＳ３４において、上述のステップＳ３４におけるのと同様に、光ディスク制御器１３８は、減速読出速度信号Ｓｋｓに基づいて、光ディスクドライブ１３２（ＣＤドライブ１３２＿１）で、光ディスク（ＣＤ）から正規再生時のＫ倍の速さで読み出されてくるデータ（ＣＤデータＳｃｄを正常再生時のＮ倍の速さで再生して、コンテンツデータ（オーディオデータ）Ｓａｄと管理データ（サブコード）Ｓｓｂ取り出して、読出データ検出器２００に出力する。そして、制御は次のステップＳ３６に進む。
【００５６】
ステップＳ３６において、上述のステップＳ１６におけるのと同様に、読出データ検出器２００は、コンテンツデータ（オーディオデータ）Ｓａｄと管理データ（サブコード）Ｓｓｂに基づいて、減速時の再生状態を示す減速再生状態信号Ｓｊｋを生成して、オペレーションコントローラ３００に出力する。そして、制御は次のステップＳ３８に進む。
【００５７】
ステップＳ３８において、上述のステップＳ１８におけるのと同様に、オペレーションコントローラ３００は、減速再生状態信号Ｓｊｋに基づいて、記録元の光ディスク（ＣＤ）から記録データの再生が正常であるか否かが判断される、正常再生の場合は、Ｙｅｓと判断されて、制御は上述のステップＳ１９に進む。
一方、本ステップにおいて、正常再生でない場合は、Ｎｏと判断されて、制御は上述のステップＳ２４に戻る。
【００５８】
なお、上述のステップＳ１９においてＮｏ、つまり記録元光ディスク（ＣＤ）の再生記録データ量に対して、記録先光ディスク（ＭＤ）の記録容量が不足している場合には、制御はステップＳ４０に進む。
【００５９】
ステップＳ４０において、例えば、記録先光ディスク（ＭＤ）の記録容量不足等を表示部４００に表示するなどの所定のエラー処理が行われて、制御は終了する。
【００６０】
上述のように構成することによって、本発明にかかる光ディスク高速再生記録装置ＨＳＣにおいては、記録元光ディスクを正規再生速度より大きな速度で再生しながら、所定の記録単位で再生データを記録先光ディスクに記録する過程おいて、データが不良再生されている場合には、その不良データが記録先ディスクに書き込まれるものの、その不良データに関するＵＴＯＣ情報を書き込まずに、再生速度を所定の大きさだけ減速して、データ再生が回復するのをまつ。そして、データ再生が回復した時点で所定の記録単位毎に、ＵＴＯＣ情報を書き込むように制御される。そして、次のデータ再生に対しては、再生速度を減速前の元の高速再生で再生することによって、再生品質に応じた適正な速度で光ディスクの高速再生記録が実現できる。
【００６１】
さらに、結果、記録単位を記録元光ディスク、トラック、セクター、およびさらに小さなデータブロックの何れかを任意に設定できるので、生成不良による減速再生の適用範囲も適正に設定できる。結果、記録元光ディスク或いは光ディスク高速再生記録装置ＨＳＣとの関係において生じる再生不良の影響を低減して、高速再生記録が可能である。
【００６２】
また、光ディスク高速再生記録装置ＨＳＣは好ましくは、記録元の光ディスクとしてＣＤを用い、書込／書換可能光ディスクとしてＭＤ用いる。但し、記録元の光ディスクとしては、コンビネーションドライブ１３０に装着できるＣＤ、ＤＶＤ、およびＶＣＤを代表とする光ディスクを用いることができる。さらに、書込／書換可能光ディスクとしては、ＵＴＯＣ情報のように、記録するデータの管理情報をユーザ側で記録できる、ＣＤ−ＲＷやＤＶＤ−ＲＷに代表される光ディスクを用いることができる。
【図面の簡単な説明】
【図１】本発明の実施の形態にかかる光ディスク高速再生記録装置の構成を示すブロック図である。
【図２】図１に示した光ディスク高速再生記録装置の動作を示すフローチャートである。
【符号の説明】
ＨＳＣ　光ディスク高速再生記録装置
１３０　コンビネーションドライブ
１３２＿１　ＣＤドライブ
１３２＿２　ＤＶＤドライブ
１３２＿３　ＶＣＤドライブ
１３２＿４　ＭＰ３ドライブ
１３４　ドライブシステムコントローラ
１３６　再生速度切替器
１３８　光ディスク制御器
２００　読出データ検出器
２３０　ＭＤドライブ
２３０＿１　ＭＤシステムコントローラ
２３０＿３　書込読出器
２３０＿５　書換可能光ディスク
３００　オペレーションコントローラ
３２０　受光器
３３０　リモコン
４００　表示部
【図１】
2004039048.tif 000003
【図２】
2004039048.tif 000004